(57)【要約】【課題】  取り付け具に対する面ファスナーテープの装着が容易で、面ファスナーテープ自体の剛性を高くして、強度を上げ、大重量のカーテン地を面ファスナーテープの係合で係止保持できるカーテン連結具を提供する。【解決手段】  取り付け具および面ファスナーテープを有するカーテン連結具であって、該取り付け具は基板およびその表面に設けられた、該基板の長さ方向に連続して延在する少なくとも１条の突出案内条を有し、該面ファスナーテープは基板、その表面に設けられた多数の係合素子、および、その裏面に設けられた、該基板の長さ方向に連続して延在する少なくとも１条の連結突条を有し、該連結突条の少なくとも１条が該突出案内条に挿通保持されていることを特徴とするカーテン連結具。【選択図】  図４
2006141768.tif 000002
【特許請求の範囲】
【請求項１】
取り付け具および面ファスナーテープを有するカーテン連結具であって、該取り付け具は基板およびその表面に設けられた、該基板の長さ方向に連続して延在する少なくとも１条の突出案内条を有し、該面ファスナーテープは基板、その表面に設けられた多数の係合素子、および、その裏面に設けられた、該基板の長さ方向に連続して延在する少なくとも１条の連結突条を有し、該連結突条の少なくとも１条が該突出案内条に挿通保持されていることを特徴とするカーテン連結具。
【請求項２】
該突出案内条が上部開口端に狭い間隙を有し、その下方に広い間隙を有する断面構造であることを特徴とする請求項１に記載のカーテン連結具。
【請求項３】
該連結突条が該突出案内条の長さ方向端部から挿通可能であり、基板から立ち上がるステム部とその端部に膨頭部を有する突条であることを特徴とする請求項１または２に記載のカーテン連結具。
【請求項４】
該連結突条の膨頭部が、該膨頭部先端からステム部に向かって延びる切れ目を有することを特徴とする請求項３に記載のカーテン連結具。
【請求項５】
該取り付け具が該突出案内条を、該取り付け具の基板の幅方向両端部と中間部において少なくとも３条有し、面ファスナーテープの少なくとも１条の該連結突条が該突出案内条に対向するように設けられていることを特徴とする請求項１〜４のいずれかに記載のカーテン連結具。
【発明の詳細な説明】
【技術分野】
【０００１】
本発明は、カーテン地を取り付けるためのカーテン連結具に関し、さらに詳しくは、上下に開閉するカーテン地を取り付けるためのカーテン連結具に関する。
【背景技術】
【０００２】
カーテン地を取り付けるためのカーテン連結具は、古くから検討されており、各種の構造が提案されまた実用化されている。その例としては、特許文献１に記載される構造や特許文献２に記載される構造がある。
【０００３】
上記特許文献に開示されている構造は、フック面ファスナーテープとそれを取り付ける取り付け具からなる。フック面ファスナーテープの幅方向両端部には、長さ方向に連続して、または不連続に延在する突部が設けられており、取り付け具の幅方向両端部には、長さ方向に沿ってガイドレールが設けられている。ガイドレールは長さ方向に延びる間隙を形成し、この間隙にフック面ファスナーテープの突部を嵌入するように挿通することにより、フック面ファスナーテープが取り付け具に係合保持される。
【０００４】
【特許文献１】実開平５−７０３１３号公報明細書
【特許文献２】実開平６−６４５９１号公報明細書
【発明の開示】
【発明が解決しようとする課題】
【０００５】
上記従来の構造は面ファスナーテープの取り付け具への装着が簡単であるという利点はあるが、面ファスナーテープを取り付け具に装着した後、取り付け具から面ファスナーテープが外れないようにするためには、取り付け具のガイドレールに対して面ファスナーテープの幅および幅方向端部の突部の形状精度を高く維持する必要がある。即ち、面ファスナーテープの幅や突部の形状の変化が微小であっても、取り付け具への挿通が困難になる、装着した面ファスナーテープが取り付け具からはずれるなどの問題がある。また、カーテン地が重い場合は、面ファスナーテープがクリープ変形し、取り付け具の溝から脱落する問題がある。
【０００６】
本発明は、従来の面ファスナーテープと取り付け具の係合機構を根本的に変更して、面ファスナーテープの取り付け具への装着が容易で、かつ、装着状態を長期間確実に維持できるカーテン連結具を提供することを目的とする。
【課題を解決するための手段】
【０００７】
即ち本発明は、取り付け具および面ファスナーテープを有するカーテン連結具であって、該取り付け具は基板およびその表面に設けられた、該基板の長さ方向に連続して延在する少なくとも１条の突出案内条を有し、該面ファスナーテープは基板、その表面に設けられた多数の係合素子、および、その裏面に設けられた、該基板の長さ方向に連続して延在する少なくとも１条の連結突条を有し、該連結突条の少なくとも１条が該突出案内条に挿通保持されていることを特徴とするカーテン連結具に関する。
【発明の効果】
【０００８】
本発明のカーテン連結具は、従来採用されていた、取り付け具のガイドレールと面ファスナーテープの幅方向両端部の突出部の嵌合を利用しないので、取り付け具に対する面ファスナーテープの装着が容易で、面ファスナーテープ自体の剛性を高くし強度を上げることにより、大重量のカーテン地を面ファスナーテープに係合するだけで十分係止できる利点がある。
【発明を実施するための最良の形態】
【０００９】
以下、本発明を図面により説明する。図１は本発明によるカーテン連結具の一例を示す幅方向断面図である。
【００１０】
本発明のカーテン連結具は、取り付け具および面ファスナーテープを有する。取り付け具は、基板１と該基板１上に設けられた、長さ方向に連続して延在する少なくとも１条の突出案内条２から構成される。突出案内条２の個数、寸法などは係止する面ファスナーテープの幅、カーテン地の重量などを考慮して適宜決定することができる。突出案内条２の断面形状は図２に示すように、上部開口端に狭い間隙３（通常、０．５〜５．０ｍｍ）と、その下方に広い間隙４（通常、１．０〜１０．０ｍｍ）を有する。突出案内条２の高さは通常０．５〜１０．０ｍｍである。突出案内条２の断面形状は図２に示す形状のみに限定されるものではなく、後述する連結突条７が挿通可能であり、挿通後、連結突条７が開口端から離脱するのを防止できる限りいかなる形状であってもよい。
【００１１】
上記取り付け具に装着する面ファスナーテープは、基板５の表面に多数の係合素子６を有し、裏面に取り付け具の基板１に設けられた突出案内条２に挿通可能であり、かつ、基板１に設けられた突出案内条２に対向するように設けられた、長さ方向に連続して延在する少なくとも１条の連結突条７（高さ：０．５〜８．０ｍｍ）を有する。図３（ａ）に示すように、該連結突条７の断面形状は基板５から立ち上がるステム部８とその端部の膨頭部９からなる。ステム部８および膨頭部９の幅は、連結突条７が突出案内条２に挿通可能であり、挿通後、連結突条７が突出案内条２の開口端から離脱しないように適宜選択される。膨頭部９の断面形状は、円のみに限られず、突出案内条２の断面形状に応じて、楕円状、扁平楕円状、長方形、角丸長方形などの形状にすることができる。連結突条７に、膨頭部９の先端からステム部８に向かって延びる切れ目を設けてもよい。この切れ目は、図３（ｂ）に示すように、膨頭部９の先端からステム部８を経て基板５に達していてもよい。このような切れ目を設けることで、連結突条７が撓みやすくなり突出案内条２に嵌合し易くなる。
【００１２】
図１のカーテン連結具は、面ファスナーテープ基板５の剛性が十分に高い場合には、突出案内条２および連結突条７をそれぞれ基板１および５の幅方向中央部に設けることにより、カーテン地を係止保持することができる。
【００１３】
図４は、本発明のカーテン連結具の他の例を示す幅方向断面図である。図４のカーテン連結具の構造は、面ファスナーテープの剛性が比較的に低く変形し易い場合に好適である。取り付け具の基板１および面ファスナーテープ基板５の幅方向両端部近傍に突出案内条２と連結突条７をそれぞれ設け、さらに中央部にも突出案内条２と連結突条７を設けることにより、取り付け具と面ファスナーテープの装着を確実にすることができる。
【００１４】
本発明のカーテン連結具の取り付け具の基板１および突出案内条２は、成形性、コスト、防火性、剛性などの点からアルミニウム製が好ましいが、必要に応じてプラスチックスなどの他の材質とすることもできる。面ファスナーテープの基板５、係合素子６および連結突条７は通常プラスチックス製である。
【００１５】
本発明のカーテン連結具は、面ファスナーテープの連結突条７を、取り付け具の突出案内条２の長さ方向端部から挿通することにより得られる。突出案内条２の剛性が十分でないと、時間の経過により突出案内条２の開口端が変形して、開口端から連結突条７が抜けて、面ファスナーテープの係合素子６に係合保持されているカーテン地の脱落を招く結果となる。かかる問題を避けるために、取り付け具の突出案内条２と面ファスナーテープの連結突条７は押圧で嵌合するものでなく、突出案内条２の長さ方向端部から連結突条７を挿通して装着するものが好ましい。
【００１６】
連結突条７を突出案内条２に挿通した後、突出案内条２の長さ方向端部を封止する必要がある。封止手段としては、任意のストッパー、接着剤止め、ねじ止めなどが使用できる。
【００１７】
本発明のカーテン連結具は、取り付け具を介して、窓枠、カーテンレール（図５および６の符号１０）などに任意の方法で取り付けられる。例えば接着、ねじ止め、さらには取り付け具の裏面に付設した突出鋲などにより固定することもできる。
【００１８】
本発明のカーテン連結具の使用方法について具体的に説明する。基板１が複数の突出案内条２を有する場合は、突出案内条２と面ファスナーテープの連結突条７の位置を上または下にずらして装着することができる。例えば、図５に示すように、面ファスナーテープを上にずらして装着すると、取り付け具即ちカーテンレールと窓枠との間に隙間があり外光Ａが進入するときは、上にずらされた面ファスナーテープまたはこれに係合されたカーテン地により、上記隙間をふさぎ、外光Ａの侵入を遮断することができる。また、カーテン地が短く床との間に隙間があるとき、面ファスナーテープを下にずらして装着すれば、カーテン地の下端が下がり、カーテン地の長さを見かけ上修正することができる。
【００１９】
さらに、図６に示すように、面ファスナーテープを通常の位置からずらし、空いた突出案内条７に、面ファスナーテープ以外の部材、例えば突出案内条７に嵌入可能なスライドランナー１１を取り付けて、上下開閉カーテンに加えて、横開閉カーテンをカーテン連結具に吊設することができる。
【００２０】
面ファスナーテープの剛性が十分高い場合、面ファスナーテープの幅を切断縮小して、取り付け具との装着を容易にし、作業の効率化を図ることも可能である。
【実施例１】
【００２１】
基板１の幅方向中間部に狭い間隙２．５ｍｍ、広い間隙３．５ｍｍの突出案内条２を２条有する取り付け具に、基板５の中間部にステム幅２．０ｍｍ、膨頭部幅３．０ｍｍの連結突条７が２条設けられたテープ幅が２１ｍｍのポリエステル製面ファスナーテープを挿通しカーテン連結具を作製した。このポリエステル製面ファスナーテープの係合素子面に、これと係合可能な面ファスナーテープを縫い付けたカーテン地を取り付けた。
【実施例２】
【００２２】
基板１の幅方向両端部と中間部に狭い間隙２．５ｍｍ、広い間隙３．５ｍｍの突出案内条２を３条有する取り付け具に、基板５の幅方向両端部と中間部にステム幅２．０ｍｍ、膨頭部幅３．０ｍｍのでありそのほぼ中央部に切れ目を有する連結突条７が３条設けられたテープ幅が２１ｍｍのポリエステル製面ファスナーテープを挿通しカーテン連結具を作製した。このポリエステル製面ファスナーテープの係合素子面に、これと係合可能な面ファスナーテープを縫い付けたカーテン地を取り付けた。
【図面の簡単な説明】
【００２３】
【図１】本発明によるカーテン連結具の一例を示す幅方向断面図。
【図２】突出案内条断面の狭い間隙と広い間隙を説明する断面図。
【図３】連結突条のステム部と膨頭部を説明する断面図。
【図４】本発明によるカーテン連結具の他の例を示す幅方向断面図。
【図５】本発明によるカーテン連結具の使用形態の一例を示す断面図。
【図６】本発明によるカーテン連結具の使用形態の他の例を示す断面図。
【符号の説明】
【００２４】
１：取り付け具の基板
２：突出案内条
３：狭い間隙
４：広い間隙
５：面ファスナーテープの基板
６：係合素子
７：連結突条
８：ステム部
９：膨頭部
１０：カーテンレール
１１：スライドランナー
Ａ：外光
【図１】
2006141768.tif 000003
【図２】
2006141768.tif 000004
【図３】
2006141768.tif 000005
【図４】
2006141768.tif 000006
【図５】
2006141768.tif 000007
【図６】
2006141768.tif 000008